(57)【要約】【課題】  HSDPA(もしくはW-CDMA通信)未対応の地域に対し、一定のサービス品質を保ちつつ、費用を低く抑えることが可能な無線通信端末等を提供すること。【解決手段】  第１の通信プロトコルで通信可能な第１の通信データを送受信する第１の送受信手段と第１の通信データを入出力する通信データ入出力手段とを備えた無線通信端末であって、第１の通信プロトコルとは異なる第２の無線通信プロトコルで通信可能な第２の通信データを送受信する第２の送受信手段、第１の通信データと第２の通信データとを互いに変換するプロトコル変換手段を備え、通信データ入出力手段が、第２の送受信手段によって第２の通信データを受信してプロトコル変換手段によって第２の通信データから変換した第１の通信データを出力し、第２の送受信手段が、通信データ入出力手段によって第１の通信データを入力してプロトコル変換手段によって第１の通信データから変換した第２の通信データを送信する。【選択図】図１
2007088794.tif 000002
【特許請求の範囲】
【請求項１】
第１の通信プロトコルで通信可能な第１の通信データを送受信する第１の送受信手段と、前記第１の通信データを入出力する通信データ入出力手段とを備えた無線通信端末であって、
前記第１の通信プロトコルとは異なる第２の無線通信プロトコルで通信可能な第２の通信データを送受信する第２の送受信手段と、
前記第１の通信データと前記第２の通信データとを互いに変換するプロトコル変換手段と、
を備え、
前記通信データ入出力手段は、前記第２の送受信手段によって前記第２の通信データを受信して前記プロトコル変換手段によって前記第２の通信データから変換した前記第１の通信データを出力し、
前記第２の送受信手段は、前記通信データ入出力手段によって前記第１の通信データを入力して前記プロトコル変換手段によって前記第１の通信データから変換した前記第２の通信データを送信する、
ことを特徴とする無線通信端末。
【請求項２】
前記第１の通信プロトコルは、3GPP(3rd Generation Partnership Project)で規定される通信プロトコルであり、
前記第２の通信プロトコルは、WiMAX（Worldwide Interoperability for Microwave Access[IEEE 802.16a]）用の通信プロトコルである、
ことを特徴とする請求項１に記載の無線通信端末。
【請求項３】
第１の通信プロトコルで通信可能な第１の通信データを前記第１の通信プロトコルで通信可能な無線基地局装置に対して送受信する第１のユーザデータ送受信手段と、
前記第１の通信プロトコルとは異なる第２の通信プロトコルで通信可能な第２の通信データを前記第２の通信プロトコルで通信可能な無線通信端末に対して送受信する第２のユーザデータ送受信手段と、
前記第１の通信データと前記第２の通信データとを互いに変換するプロトコル変換手段と、
を備えることを特徴とする無線基地局装置。
【請求項４】
第１の通信プロトコルで通信可能な第１の通信データを送受信する第１の送受信手段と、前記第１の通信データを入出力する通信データ入出力手段とを備えた無線通信端末において実行される通信制御方法であって、
前記第１の通信プロトコルとは異なる第２の無線通信プロトコルで通信可能な第２の通信データを受信し、
前記受信した前記第２の通信データを前記第１の通信データに変換し、
前記通信データ入出力手段を用いて前記変換した前記第１の通信データを出力する、
ことを特徴とする通信制御方法。
【請求項５】
第１の通信プロトコルで通信可能な第１の通信データを送受信する第１の送受信手段と、前記第１の通信データを入出力する通信データ入出力手段とを備えた無線通信端末において実行される通信制御方法であって、
前記通信データ入出力手段を用いて前記第１の通信データを入力し、
前記入力した前記第１の通信データを前記第１の通信プロトコルとは異なる第２の無線通信プロトコルで通信可能な第２の通信データに変換し、
前記変換した前記第２の通信データを送信する、
ことを特徴とする通信制御方法。
【請求項６】
第１の通信プロトコルで通信可能な第１の通信データを前記第１の通信プロトコルで通信可能な無線基地局装置において実行される通信制御方法であって、
前記第１の通信データを無線基地局装置から受信し、
前記受信した前記第１の通信データを前記第１の通信プロトコルとは異なる第２の通信プロトコルで通信可能な第２の通信データに変換し、
前記変換した前記第２の通信データを前記第２の通信プロトコルで通信可能な無線通信端末に対して送信する、
ことを特徴とする通信制御方法。
【請求項７】
第１の通信プロトコルで通信可能な第１の通信データを前記第１の通信プロトコルで通信可能な無線基地局装置において実行される通信制御方法であって、
前記第１の通信プロトコルとは異なる第２の通信プロトコルで通信可能な第２の通信データを前記第２の通信プロトコルで通信可能な無線通信端末から受信し、
前記受信した前記第２の通信データを前記第１の通信データに変換し、
前記変換した前記第１の通信データを前記第１の通信プロトコルで通信可能な無線基地局に対して送信する、
ことを特徴とする通信制御方法。
【請求項８】
第１の通信プロトコルで通信可能な第１の通信データを送受信する第１の送受信手段と、前記第１の通信データを入出力する通信データ入出力手段とを備えた無線通信端末に実行させるためのコンピュータ実行可能な通信制御プログラムであって、
前記第１の通信プロトコルとは異なる第２の無線通信プロトコルで通信可能な第２の通信データを受信する手順と、
前記受信した前記第２の通信データを前記第１の通信データに変換する手順と、
前記通信データ入出力手段を用いて前記変換した前記第１の通信データを出力する手順と、
を実行させるための通信制御プログラム。
【請求項９】
第１の通信プロトコルで通信可能な第１の通信データを送受信する第１の送受信手段と、前記第１の通信データを入出力する通信データ入出力手段とを備えた無線通信端末に実行させるためのコンピュータ実行可能な通信制御プログラムであって、
前記通信データ入出力手段を用いて前記第１の通信データを入力する手順と、
前記入力した前記第１の通信データを前記第１の通信プロトコルとは異なる第２の無線通信プロトコルで通信可能な第２の通信データに変換する手順と、
前記変換した前記第２の通信データを送信する手順と、
を実行させるための通信制御プログラム。
【請求項１０】
第１の通信プロトコルで通信可能な第１の通信データを前記第１の通信プロトコルで通信可能な無線基地局装置に実行させるためのコンピュータ実行可能な通信制御プログラムであって、
前記第１の通信データを無線基地局装置から受信する手順と、
前記受信した前記第１の通信データを前記第１の通信プロトコルとは異なる第２の通信プロトコルで通信可能な第２の通信データに変換する手順と、
前記変換した前記第２の通信データを前記第２の通信プロトコルで通信可能な無線通信端末に対して送信する手順と、
を実行させるための通信制御プログラム。
【発明の詳細な説明】
【技術分野】
【０００１】
本発明は、移動体通信システムにおけるハンドオーバーの技術に関し、特に、相互に異なる移動通信システム間のハンドオーバーが可能な無線通信端末、無線基地局装置、通信制御方法および通信制御プログラムに関する。
【背景技術】
【０００２】
通信方式が異なる複数の地域間を往来する利用者は、１つの無線通信端末で各地域の通信方式に対応することにより、利用者の利便性を高めることができるが、無線通信端末および無線基地局が通信方式の切り替えに対応する必要がある。
【０００３】
特許文献１には、現在選択している通信方式が圏外である場合には、利用者にその旨を通知するとともに、他の通信方式の選択を利用者に促す表示を行い、この表示が行われている間は、簡単な操作手順により通信方式の切り替えが可能となる技術が開示されている。
【０００４】
特許文献２には、データ通信路、送信側機器、受信側機器の能力や負荷、データの更新頻度や参照頻度など、動的に変化する様々な要因に応じて、通信方式を最適なものに切り替える技術が開示されている。
【０００５】
特許文献３には、第１無線通信システムと、前記第１無線通信システムとは異なる第２無線通信システムと、前記第１および第２無線通信システムで動作することの可能な無線端末から構成される複合無線通信システムが開示されている。
【０００６】
特許文献４には、通信方式を別の通信方式に切り替え得ると判定した場合、現在使用中の通信方式とは別の通信方式で無線通信可能な通信対象局を探索し、通信可能な前記通信対象局が存在する場合に、現在使用中の例えばＩＥＥＥ８０２．１１ｂ規格通信部を別のＩＥＥＥ８０２．１１ａ規格通信部に通信が途切れないように切り替える技術が開示されている。
【０００７】
現在、移動体通信システムの高度化が進んでおり、中でもW-CDMA（Wideband-Code Division Multipule Access）方式の機能を拡張し、高速下りパケット通信を実現するHSDPA（High-Speed Downlink Packet Access）の実用化が検討されている。
【特許文献１】特開２００１−３２６９７５号公報
【特許文献２】特開２００２−７７２９４号公報
【特許文献３】特開２００３−２８４１５０号公報
【特許文献４】特開２００４−２８９３７３号公報
【発明の開示】
【発明が解決しようとする課題】
【０００８】
しかしながら、無線通信端末や無線基地局装置（Node B＝BTS：Base Transceiver Station）をHSDPAに対応させるためには、新規開発を行ったソフトウェアやハードウェアをRNC（無線ネットワーク装置：Radio Network Control equipment）およびNode Bに適用させる必要がある。従って、HSDPAサービスの展開を行うためには、大規模な設備投資が必要であり、費用対効果の低い地域に対しては、HSDPA対応機器（無線通信端末や無線基地局装置）の装置単価が下がるまで、HSDPA未対応エリアとなる可能性が高くなってしまうという問題点がある。
【０００９】
このようなHSDPA未対応エリアに対しては、一定のサービス品質を保ちつつも、設備構築費用を低く抑えられるような通信方法を適用することが必要となる。また、既存のW-CDMAシステムを極力流用することで、既存インフラの資産を最大限活用できるシステムが望ましい。
【００１０】
また、HSDPAに対応するのみでなく、通常の3GPPで規定されるDCH(Dｅdicated Channel)等のトランスポートチャネルにも対応することが望ましい。
このような背景の中、新たな通信方式として、WiMAX（Worldwide Interoperability for Microwave Access[IEEE 802.16a]）が注目されている。このWiMAX方式は、Wireless MAN（Metropolitan Area Networks[IEEE 802.16]）と呼ばれる分野で、大都市圏（都市部）をエリアとする、広範囲なワイヤレスネットワークであり、最大７５Ｍｂｐｓの通信速度と、最大５０Ｋｍのセルサイズを特徴とし、既に標準化が開始されている。
【００１１】
よって、上述のようなHSDPAサービスの展開時に発生する問題以外にも、下記の３点で、HSDPAとWiMAXの相互利用が今後必要になる。
（１）HSDPA方式、WiMAX方式など、複数の通信インフラに対応した端末が今後一般的になった際の、通信切り替え手段。
（２）HSDPAサービスが本格稼動しているキャリアの、さらなる同時接続数増強のための手段として、WiMAX方式のインフラを用いる場合の相互利用手段。
（３）HSDPAサービスを行っているキャリアとWiMAXでの通信サービスを行っているキャリアの相互通信乗り入れとしての通信切り替え手段。
【００１２】
本発明は、前記事情に鑑みてなされたもので、HSDPA未対応の地域に対し、一定のサービス品質を保ちつつ、費用を低く抑えることが可能な無線通信端末、無線基地局装置、通信制御方法および通信制御プログラムを提供することを目的とする。
【００１３】
また、本発明は、前記無線通信端末、前記無線基地局装置、前記通信制御方法および前記通信制御プログラムを実現するに際し、既存のW-CDMAシステムを極力流用でき、インフラの資産を最大限活用できることを目的とする。
【課題を解決するための手段】
【００１４】
本発明は、前記課題を解決するため、下記のような構成を採用した。
すなわち、本発明の一態様によれば、本発明の無線通信端末は、第１の通信プロトコルで通信可能な第１の通信データを送受信する第１の送受信手段と、上記第１の通信データを入出力する通信データ入出力手段とを備えた無線通信端末であって、上記第１の通信プロトコルとは異なる第２の無線通信プロトコルで通信可能な第２の通信データを送受信する第２の送受信手段と、上記第１の通信データと上記第２の通信データとを互いに変換するプロトコル変換手段とを備え、上記通信データ入出力手段が、上記第２の送受信手段によって上記第２の通信データを受信して上記プロトコル変換手段によって上記第２の通信データから変換した上記第１の通信データを出力し、上記第２の送受信手段が、上記通信データ入出力手段によって上記第１の通信データを入力して上記プロトコル変換手段によって上記第１の通信データから変換した上記第２の通信データを送信することを特徴とする。
【００１５】
また、本発明の無線通信端末は、上記第１の通信プロトコルが、3GPP(3rd Generation Partnership Project)に規定される、W-CDMA(Wideband-Code Division Mulitiple Access)方式の通信プロトコル(HSDPA（High-Speed Downlink Packet Access）通信も含む)であり、上記第２の通信プロトコルが、WiMAX（Worldwide Interoperability for Microwave Access[IEEE 802.16a]）用の通信プロトコルであることが望ましい。
【００１６】
また、本発明の一態様によれば、本発明の無線基地局装置は、第１の通信プロトコルで通信可能な第１の通信データを上記第１の通信プロトコルで通信可能な無線基地局装置に対して送受信する第１のユーザデータ送受信手段と、上記第１の通信プロトコルとは異なる第２の通信プロトコルで通信可能な第２の通信データを上記第２の通信プロトコルで通信可能な無線通信端末に対して送受信する第２のユーザデータ送受信手段と、上記第１の通信データと上記第２の通信データとを互いに変換するプロトコル変換手段とを備えることを特徴とする。
【００１７】
また、本発明の一態様によれば、本発明の通信制御方法は、第１の通信プロトコルで通信可能な第１の通信データを送受信する第１の送受信手段と、上記第１の通信データを入出力する通信データ入出力手段とを備えた無線通信端末において実行される通信制御方法であって、上記第１の通信プロトコルとは異なる第２の無線通信プロトコルで通信可能な第２の通信データを受信し、上記受信した上記第２の通信データを上記第１の通信データに変換し、上記通信データ入出力手段を用いて上記変換した上記第１の通信データを出力することを特徴とする。
【００１８】
また、本発明の一態様によれば、本発明の通信制御方法は、第１の通信プロトコルで通信可能な第１の通信データを送受信する第１の送受信手段と、上記第１の通信データを入出力する通信データ入出力手段とを備えた無線通信端末において実行される通信制御方法であって、上記通信データ入出力手段を用いて上記第１の通信データを入力し、上記入力した上記第１の通信データを上記第１の通信プロトコルとは異なる第２の無線通信プロトコルで通信可能な第２の通信データに変換し、上記変換した上記第２の通信データを送信することを特徴とする。
【００１９】
また、本発明の一態様によれば、本発明の通信制御方法は、第１の通信プロトコルで通信可能な第１の通信データを上記第１の通信プロトコルで通信可能な無線基地局装置において実行される通信制御方法であって、上記第１の通信データを無線基地局装置から受信し、上記受信した上記第１の通信データを上記第１の通信プロトコルとは異なる第２の通信プロトコルで通信可能な第２の通信データに変換し、上記変換した上記第２の通信データを上記第２の通信プロトコルで通信可能な無線通信端末に対して送信することを特徴とする。
【００２０】
また、本発明の一態様によれば、本発明の通信制御方法は、第１の通信プロトコルで通信可能な第１の通信データを上記第１の通信プロトコルで通信可能な無線基地局装置において実行される通信制御方法であって、上記第１の通信プロトコルとは異なる第２の通信プロトコルで通信可能な第２の通信データを上記第２の通信プロトコルで通信可能な無線通信端末から受信し、上記受信した上記第２の通信データを上記第１の通信データに変換し、上記変換した上記第１の通信データを上記第１の通信プロトコルで通信可能な無線基地局に対して送信することを特徴とする。
【００２１】
また、本発明の一態様によれば、本発明の通信制御プログラムは、第１の通信プロトコルで通信可能な第１の通信データを送受信する第１の送受信手段と、上記第１の通信データを入出力する通信データ入出力手段とを備えた無線通信端末に実行させるためのコンピュータ実行可能な通信制御プログラムであって、上記第１の通信プロトコルとは異なる第２の無線通信プロトコルで通信可能な第２の通信データを受信する手順と、上記受信した上記第２の通信データを上記第１の通信データに変換する手順と、上記通信データ入出力手段を用いて上記変換した上記第１の通信データを出力する手順とを実行させるための通信制御プログラムである。
【００２２】
また、本発明の一態様によれば、本発明の通信制御プログラムは、第１の通信プロトコルで通信可能な第１の通信データを送受信する第１の送受信手段と、上記第１の通信データを入出力する通信データ入出力手段とを備えた無線通信端末に実行させるためのコンピュータ実行可能な通信制御プログラムであって、上記通信データ入出力手段を用いて上記第１の通信データを入力する手順と、上記入力した上記第１の通信データを上記第１の通信プロトコルとは異なる第２の無線通信プロトコルで通信可能な第２の通信データに変換する手順と、上記変換した上記第２の通信データを送信する手順とを実行させるための通信制御プログラムである。
【００２３】
また、本発明の一態様によれば、本発明の通信制御プログラムは、第１の通信プロトコルで通信可能な第１の通信データを上記第１の通信プロトコルで通信可能な無線基地局装置に実行させるためのコンピュータ実行可能な通信制御プログラムであって、上記第１の通信データを無線基地局装置から受信する手順と、上記受信した上記第１の通信データを上記第１の通信プロトコルとは異なる第２の通信プロトコルで通信可能な第２の通信データに変換する手順と、上記変換した上記第２の通信データを上記第２の通信プロトコルで通信可能な無線通信端末に対して送信する手順とを実行させるための通信制御プログラムである。
【発明の効果】
【００２４】
本発明によれば、HSDPA未対応の地域に対し、一定のサービス品質を保ちつつ、費用を低く抑えることが可能になるとともに、既存のW-CDMAシステムを極力流用でき、インフラの資産を最大限活用できることができる。
【発明を実施するための最良の形態】
【００２５】
以下、図面に基づいて本発明を適用した実施の形態を説明する。
図１は、本発明を適用した移動体通信システムの全体構成図である。
図１において、本発明を適用した移動体通信システムは、インターネット網（Internet網）１に接続した３GPP（3rd Generation Partnership Project）規格のコアネットワーク（CN：Core Network）２、コアネットワーク２に接続した３GPP規格の無線ネットワーク制御装置（RNC：Radio Network Controller）３および５、無線ネットワーク制御装置３に接続した３GPP規格のW-CDMA方式の無線基地局装置（Node-B）４、WiMAX方式の無線基地局装置（BS：Base Station）６、および、W-CDMA方式とWiMAX方式に対応した無線通信端末（UE：User Equipment）７（７ａ乃至７ｄ）から構成される。
【００２６】
ここで、無線通信端末７ａは通常の3GPP通信を行っている状態の無線通信端末７であり、無線通信端末７ｂは通常の3GPP通信からWiMAX方式の3GPP通信へ切り替わる状態の無線通信端末７であり、無線通信端末７ｃはWiMAX方式で3GPP通信を行っている状態の無線通信端末７であり、無線通信端末７ｄはWiMAX方式の3GPP通信から通常の3GPP通信へ切り替わる状態の無線通信端末７である。
【００２７】
なお、通常の3GPP通信およびWiMAX方式の3GPP通信は、HSDPA通信を含んでいる。
また、W-CDMA方式の無線基地局装置（Node-B）４とWiMAX方式の無線基地局装置（BS）６は、同一の無線ネットワーク制御装置（RNC：Radio Network Controller）３（または５）の配下に接続されていても構わない。
【００２８】
以下、それぞれの装置の概要を示す。
無線基地局装置（Node-B）４は、HSDPA通信を行う際は、3GPPにおけるHSDPA通信に対応していることを前提とする。ただし、後述するW-CDMA未対応エリアについては、電波を出力する無線基地局装置（Node-B）４はHSDPAに未対応であるとする。そして、無線基地局装置（Node-B）４は、無線ネットワーク制御装置（RNC）３（あるいは５）から出力される信号は、コアネットワーク（CN）２から発せられるW-CDMAとWiMAXとの切り替えの契機に応じて、無線通信端末（UE）７に対し送信するデータの出力先をW-CDMAとWiMAXとで切り替える。
【００２９】
無線基地局装置（BS）６は、W-CDMA方式の無線ネットワーク制御装置３から出力されるデータを決められた変換処理に基づき変換し、WiMAX方式で無線通信端末７に伝送する。
無線通信端末７は、W-CDMA方式の移動機をベースとし、伝送部分にW-CDMA方式の送受信部７１１（図４参照）と、WiMAX方式の送受信部７２１（図４参照）を有している。
【００３０】
図２は、無線ネットワーク制御装置（RNC）の機能を説明するためのブロック図である。
図２において、コアネットワーク（CN）２は、WiMAX信号とW-CDMA信号とを切り替えるための制御信号を無線ネットワーク制御装置（RNC）３へ送信するWiMAX/W-CDMA信号切替制御信号送信部２１と、無線ネットワーク制御装置（RNC）３および無線基地局装置（Node-B）４または無線基地局装置（BS）６を介して無線通信端末（UE）７との間でユーザデータを送受信するためのユーザデータ送受信部２２とを備える。
【００３１】
無線ネットワーク制御装置（RNC）３は、コアネットワーク（CN）２から送信されてきた制御信号に基づいてWiMAX通信とW-CDMA通信とのを切り替えを制御するためのWiMAX/W-CDMA信号切替制御部３１と、無線通信端末（UE）７から送信されたユーザデータをコアネットワーク（CN）２との間で送受信するととともに、無線基地局装置（Node-B）４を介して無線通信端末（UE）７ａとの間でW-CDA通信をする場合はユーザデータ送受信部Ｂ（３GPP）３４との間でユーザデータを送受信し、無線基地局装置（BS）６を介して無線通信端末（UE）７ｃとの間でWiMAX通信をする場合はユーザデータ送受信部Ａ（WiMAX）３３との間でユーザデータを送受信するユーザデータ送受信部３２と、無線基地局装置（BS）６を介して無線通信端末（UE）７ｃとの間でWiMAX通信をするためのユーザデータ送受信部Ａ（WiMAX）３３と、無線基地局装置（Node-B）４を介して無線通信端末（UE）７ａとの間でW-CDA通信をするためのユーザデータ送受信部Ｂ（３GPP）３４とを備えることにより、無線ネットワーク制御装置（RNC）３から出力されるユーザデータが、コアネットワーク（CN）２から発せられるW-CDMA通信とWiMAX通信との切り替えの契機に応じて、無線通信端末（UE）７に対し送信するユーザデータの出力先をW-CDMA通信とWiMAX通信とで切り替えられる。
【００３２】
無線基地局装置（Node-B）４は、無線ネットワーク制御装置（RNC）３との間でユーザデータをW-CDMA通信により送受信するユーザデータ送受信部４１と、無線通信端末（UE）７ａの間でユーザデータをW-CDMA通信により送受信するユーザデータ送受信部４２とを備える。また、無線基地局装置（BS）６は、ユーザデータ送受信部６１と、３GPP/WiMAXプロトコル変換部６２と、ユーザデータ送受信部６３とを備えるが、詳細は後述する。
【００３３】
図３は、無線基地局装置（BS）の機能を説明するためのブロック図である。
図３において、無線基地局装置（BS）６は、無線ネットワーク制御装置（RNC）３との間でユーザデータをWiMAX通信により送受信するユーザデータ送受信部６１と、３GPPプロトコルとWiMAXプロトコルとを相互に変換する３GPP/WiMAXプロトコル変換部６２と、無線通信端末（UE）７ｃの間でユーザデータをWiMAX通信により送受信するユーザデータ送受信部６３とを備える。
【００３４】
すなわち、通常想定されるWiMAX用BSは、ネットワークシステム側とのインタフェースとしてIPv4/v6等を持つが、本発明で使用されるWiMAX用の無線基地局装置（BS）６は、W-CDMA方式の無線ネットワーク制御装置（RNC）３から出入力されるデータを受送信できるインタフェースとしてユーザデータ送受信部６１を有する。また、受信されたW-CDMA方式の無線ネットワーク制御装置（RNC）３から出入力されるデータを、決められた変換処理に基づき変換する機能として３GPP/WiMAXプロトコル変換部６２を有し、変換されたデータをWiMAX方式で無線通信端末（UE）７ｃに伝送する機能としてユーザデータ送受信部６３を有する。さらに３GPP/WiMAXプロトコル変換部６２は、前記変換処理の逆の処理にあたる、無線通信端末（UE）７ｃから送信されたWiMAX方式のデータも決められた変換処理に基づき変換し、ユーザデータ送受信部６３は、W-CDMA方式の無線ネットワーク制御装置（RNC）３に出力する機能を有する。
【００３５】
図４は、無線通信端末（UE）の機能を説明するためのブロック図である。
図４において、無線通信端末（UE）７は、送受信部７１１と３GPPプロトコル処理部７１２とを備える３GPP部７１と、送受信部７２１とWiMAX伝送プロトコル処理部７２２とWiMAX/３GPPプロトコル変換部７２３とを備えるWiMAX部７２と、データ制御部７３１と通信アプリケーション７３２とデータ通信インタフェース７３３とを備えるアプリケーションデータ処理部７３とを有している。
【００３６】
本発明で使用する無線通信端末（UE）７は、W-CDMA方式の移動機をベースとし、伝送部分にW-CDMA方式の送受信部７１１と、WiMAX方式の送受信部７２１を有する。
W-CDMA方式の無線基地局装置（Node-B）４より送信された信号は、３GPP用の送受信部７１１にて受信し、３GPPプロトコル用処理部７１２を通り、アプリケーションデータ（L3信号）までデコードできたデータがデータ制御部７３１に送り込まれる。その後、通信アプリケーション（ブラウザ、メーラー等）７３２を介してユーザにデータを提供する、あるいはデータ通信インタフェース７３３を介して外部のデータ通信機器を接続し、ユーザにデータを提供する。
【００３７】
また、WiMAX方式の無線基地局装置（BS）６より送信された信号は、WiMAX用の送受信部７２１にて受信し、WiMAX伝送プロトコル処理部７２２を通り、WiMAXプロトコルと３GPPプロトコルとを相互に変換するWiMAX/３GPPプロトコル変換部７２３を通ることで、３GPPのアプリケーションデータ（L3信号；レイヤ３信号）までデコードでき、そのデータがデータ制御部７３１に送り込まれる。その後、通信アプリケーション７３２を介してユーザにデータを提供するか、あるいはデータ通信インタフェース７３３を介して外部のデータ通信機器を接続し、ユーザにデータを提供する。
【００３８】
次に、移動体通信システム全体の動作、すなわち、無線通信端末（UE）７が通常のW-CDMAシステム準拠のHSDPA対応エリア４０から、WiMAX対応エリア６０に移動し、再び通常のW-CDMAシステム準拠のHSDPA対応エリア４０に移動する際の移動体通信システム全体の動作について説明する。また、無線通信端末（UE）が通常のW-CDMAシステム準拠の通信(DCH等)から、WiMAX対応エリアに移動し、再び通常のW-CDMAシステム準拠の通信(DCH等) に移動する際の移動体通信システム全体の動作についても、HSDPAを通常のW-CDMAシステム準拠の通信(DCH等)と読み替えることで、説明可能である。
【００３９】
本発明を適用した移動体通信システム内にいる無線通信端末（UE）７の状態は、（１）通常のW-CDMAシステム準拠のHSDPA対応エリア４０にいる状態、（２）通常のW-CDMAシステム準拠のHSDPAエリア４０からWiMAX対応エリア６０に移動する状態、（３）WiMAX対応エリア６０にいる状態、（４）WiMAX対応エリア６０から通常のW-CDMAシステム準拠のHSDPA対応エリア４０に移動する状態、の４種類である。
【００４０】
図５は、無線通信端末（UE）が通常のW-CDMAシステム準拠のHSDPA対応エリアにいる状態を説明するための図である。
図５に示すような、無線通信端末（UE）７（７ａ）が通常のW-CDMAシステム準拠のHSDPA対応エリア４０にいる状態では、無線通信端末（UE）７（７ａ）は、通常のHSDPA通信を行っている。
【００４１】
図６は、無線通信端末（UE）が通常のW-CDMAシステム準拠のHSDPA対応エリアからWiMAX対応エリアに移動する状態を説明するための図である。
図６に示すような、無線通信端末（UE）７（７ｂ）が通常のW-CDMAシステム準拠のHSDPA対応エリア４０からWiMAX対応エリア６０に移動する状態では、無線通信端末（UE）７（７ｂ）のいるセルは、通常のW-CDMAシステム準拠のHSDPA対応エリア４０からWiMAXエリア６０に切り替わる。
【００４２】
すなわち、HSDPA対応エリア４０のセルからWiMAX対応エリア６０に移動する際に、チャネルの切り替えが行われる。その際、WiMAX対応の無線通信端末（UE）７（７ｂ）は、WiMAX用の無線基地局装置（BS）６から送信される信号を受信し、正常にWiMAX用の無線基地局装置（BS）６に対して応答を行い切り替えが行われる。しかし、WiMAX未対応の無線通信端末（UE）の場合は、WiMAX用の無線基地局装置（BS）６から送信される信号を受信できないため、WiMAX用の無線基地局装置（BS）６に対し応答を行えず、TimeoutとみなしWiMAX方式での通信は終了する。よってWiMAX未対応UEはWiMAX対応エリア６０での通信は行わない。
【００４３】
図７は、無線通信端末（UE）がWiMAX対応エリアにいる状態を説明するための図である。
図７に示すような、無線通信端末（UE）７ｃがWiMAX対応エリア６０にいる状態では、WiMAX用の無線基地局装置（BS）６が、HSDPA方式の３GPPスペックを所定の変換規則に基づいて、WiMAX方式に変換しながら無線通信端末（UE）７ｃへデータの送受信を行う。また、無線通信端末（UE）７ｃも同様に、HSDPA方式の３GPPスペックを所定の変換規則に基づいて、WiMAX方式に変換しながらWiMAX用の無線基地局装置（BS）６へデータを送受信する。
【００４４】
図８は、無線通信端末（UE）がWiMAX対応エリアから通常のW-CDMAシステム準拠のHSDPA対応エリアに移動する状態を説明するための図である。
図８に示すような、無線通信端末（UE）７ｄがWiMAX対応エリア６０から通常のW-CDMAシステム準拠のHSDPA対応エリア４０に移動する状態では、無線通信端末（UE）７ｄは、WiMAX方式から、HSDPA方式に切り替えを行う。
【００４５】
すなわち、WiMAX対応エリア６０のセルからHSDPA通信方式のHSDPA対応エリア４０に移動する際に、チャネルの切り替えが行われる。その際、WiMAX対応の無線通信端末（UE）７（７ｄ）は、無線基地局装置（Node-B）４から送信されるW-CDMA用の信号を受信し、正常に無線基地局装置（Node-B）４に対して応答を行い、WiMAX方式からの切り替えが行われる。なお、WiMAX未対応無線通信端末（UE）の場合は、無線基地局装置（Node-B）４から送信されるW-CDMA用の信号を受信し、正常に無線基地局装置（Node-B）４に対して応答を行いW-CDMA方式での通信を行う。
【００４６】
次に、上述のような切り替えを実行するための具体的な下記の４つの実現方法を説明する。
（１）WiMAX伝送装置である無線基地局装置（BS）６およびWiMAX対応の無線通信端末（UE）７が、３GPPプロトコルとWiMAXプロトコルと変換を行う方法
（２）WiMAX対応の無線通信端末（UE）７が通常のW-CDMAシステム準拠のHSDPA対応エリア４０からWiMAX対応エリア６０に移動する方法
（３）WiMAX対応の無線通信端末（UE）７がWiMAX対応エリア６０から通常のW-CDMAシステム準拠のHSDPA対応エリア４０に移動する方法
（４）WiMAX対応の無線通信端末（UE）７がWiMAX対応エリア６０にてDCH状態からHS-DSCH状態に変更する方法
まず、（１）WiMAX伝送装置である無線基地局装置（BS）６およびWiMAX対応の無線通信端末（UE）７が、３GPPプロトコルとWiMAXプロトコルとの変換を行う方法について説明する。
【００４７】
図９乃至図１２は、３GPPプロトコルとWiMAXプロトコルとのプロトコル変換を説明するための図である。
図９および図１０は、下り方向で、図９がHS-DSCH（High Speed Downlink Shared CHannel）を使用したW-CDMA方式の無線基地局装置（Node-B）４の場合、図１０がIEEE 802.16eを使用したWiMAX用の無線基地局装置（BS）６の場合である。また、図１１および図１２は、上り方向で、図１１がDCH（Dedicated CHannel）を使用したW-CDMA方式の無線基地局装置（Node-B）４の場合、図１２がIEEE 802.16eを使用したWiMAX用の無線基地局装置（BS）６の場合である。
【００４８】
C-Plane信号については、上り方向下り方向共に、通常のW-CDMA信号を用いて通信を行う。WiMAX用の無線基地局装置（BS）６の場合のプロトコル変換方法は、WiMAX用の無線基地局装置（BS）６においてL1メッセージおよびFrame Protocolを受け取り、WiMAX方式の対応する機能部にデータを受け渡し、無線通信端末（UE）７側にWiMAX規格（IEEE 802.16e）の状態で送信する。
【００４９】
WiMAX用の無線基地局装置（BS）６の場合に必要となる、HS-DSCH信号とWiMAX信号との変換方法、およびDCH信号とWiMAX信号との変換方法を具体的に説明する。
図１３は、HS-DSCH信号とWiMAX信号との変換およびDCH信号とWiMAX信号との変換を説明するためのブロック図である。
【００５０】
まず、無線ネットワーク制御装置（RNC）５から送信された下りの信号（HS-DSCH）は、Iub/Iur伝送部を通り、W-CDMA部のHSDSH部で受け取られる。その信号内のHS-DSH FP（HS-DSCH Frame Protocol）から、必要な情報（ここではデータ優先度、送信待ちバッファ量、ユーザデータ）を抜き出し、WiMAX部の下りデータ制御部に伝えられる。その際、データ優先度、送信待ちバッファ容量の情報は、下りデータ制御部内の送信制御部に送られ、ユーザデータは下りデータ制御部内のユーザデータ部に送信され、格納される。
【００５１】
そして、下りデータ制御部は、受け取ったデータを元にしてWiMAX形式で無線通信端末（UE）７に転送する。無線通信端末（UE）７は、WiMAX用の無線基地局装置（BS）６が行っている処理の逆向きの処理を行い、取得したユーザデータをW-CDMAプロトコル部に入力する。
【００５２】
次に、WiMAXの上り信号は、上りデータ制御部から、W-CDMA部のDCHに送信される。そのデータのうち、DCHとして必要な情報（ここでは品質情報、送信パワーレベル、ユーザデータ）を抜き出し、DCH FP（DCH Frame Protocol）として無線ネットワーク制御装置（RNC）５に送信する。その際、品質情報は上りデータ制御部内の品質情報部から送信され、送信パワーレベルは上りデータ制御部内の送信パワーレベル部から送信され、ユーザデータは上りデータ制御部内のユーザバッファ部から送信される。
【００５３】
無線通信端末（UE）７は、上述の操作と逆向きの処理を行い、ユーザデータをWiMAX用の無線基地局装置（BS）６に対して出力し、WiMAX形式にて送信する。
また、無線ネットワーク制御装置（RNC）５から、W-CDMAのNBAP(Node B Application Part)信号にて、無線基地局装置（BS）６の制御信号が送信された場合は、WiMAX用の無線基地局装置（BS）６のW-CDMA部のNBAP部が受信する。仮に、WiMAX部に伝える必要があるデータの場合は、通信監視制御部内のリソース管理部にその値を送信する。リソース管理部はその情報を元にして、通信監視制御部内の無線品質管理部、上りデータ制御部内の品質情報部、送信パワーレベル部、下りデータ制御部内の送信制御部に制御指示を出す。その際、各部から応答（返り値）があった場合は、リソース管理部がNBAP部に対して、その値を返答する。
【００５４】
NBAP部はその値を元にして、無線ネットワーク制御装置（RNC）５向けのNBAPの返答を作成し、無線ネットワーク制御装置（RNC）５へ送信する。仮に、WiMAX部に関連のない情報の場合は、W-CDMA部のNBAP部が自動で無線ネットワーク制御装置（RNC）５に返答を行う。
【００５５】
次に、NBAP部の信号処理方法について説明する。
無線基地局装置（BS）６のW-CDMA部内のNBAP部は、上述の通り、無線ネットワーク制御装置（RNC）５から送信されてきたNBAP信号に対して、WiMAX部に要求した返り値、もしくは自らが取得した値を用いて、無線ネットワーク制御装置（RNC）５に対してNBAPの応答信号を送信する。
【００５６】
例として、後述のシーケンス図（図１８参照）にも出てくる、RADIO LINK RECONFIGURATION PREPAREおよびその応答であるRADIO LINK RECONFIGURATION READYを用いて、データの受信および応答方法を説明する。
【００５７】
図１４は、３GPP TS 25.433 V6.6.0 に規定されている、RADIO LINK RECONFIGURATION PREPAREおよびその応答であるRADIO LINK RECONFIGURATION READYのメッセージを抜き出したもの（代表的なElementを抜粋したもの）を示す図である。
【００５８】
RADIO LINK RECONFIGURATION PREPARE信号をNBAP部が変換し、RADIO LINK RECONFIGURATION READYとして応答を返すまでの流れが示されている。
受信したRADIO LINK RECONFIGURATION PREPAREのメッセージのうち、ProcedureIDについては、応答であるRADIO LINK RECONFIGURATION READYメッセージ内の、ProcedureIDと対応している。その応答の値は、入力値と一対一関係になっており、NBAP部が事前に対応関係を示した表としてデータベース化して保存しておく。実際にRADIO LINK RECONFIGURATION PREPAREメッセージ内の、ProcedureIDが入力された場合は、その対応表から検索し、その結果をRADIO LINK RECONFIGURATION READYメッセージ内のProcedureIDとして送信する。TransactionIDについても、ProcedureIDと同様にして対応する。
【００５９】
RADIO LINK RECONFIGURATION PREPAREメッセージ内の、NodeB-CommunicationContextID及びUL-DPCH-Informationについては、応答であるRADIO LINK RECONFIGURATION READYメッセージ内の、CRNC-CommunicationContextID、RL-InformationResponseListに対応している。ただし、値については、メッセージフォーマットが異なるため、後述するリソース管理部の返り値と共に、フォーマットの修正を行い、CRNC-CommunicationContextID、RL-InformationResponseListのメッセージ形式に合わせた形で送信する。
【００６０】
RADIO LINK RECONFIGURATION PREPAREメッセージ内の、RL-InformationListについては、無線基地局装置（BS）６のWiMAX部内の通信監視制御部のリソース管理部に、値を送信する必要があるので、NBAP部が値を取得後にリソース管理部に送信する。その際のリソース管理部からの応答を、前述のフォーマットの修正部分に入力する。
【００６１】
RADIO LINK RECONFIGURATION PREPAREメッセージ内の、DL-DPCH-Information（Option）、DCH-ModifyList（Option）、DCH-AddList（Option）、DCH-DeleteList（Option）、ScramblingCodeChange（Option）の５つのメッセージの入力値については、応答であるRADIO LINK RECONFIGURATION READYメッセージを作成する際に必要がなく、WiMAX部に対しても送信する必要がないので、受信した際にデータはNBAP部にて破棄する。
【００６２】
次に、移動体通信システムが無線通信端末（UE）７のWiMAX対応を知る方法について説明する。
無線通信端末（UE）７がHSDPAのW-CDMA対応エリア４０からWiMAX対応エリア６０へ移動する際に、無線ネットワーク制御装置（RNC）５がWiMAX対応の無線通信端末（UE）７と、WiMAX未対応の無線通信端末（UE）の識別を行う必要がある。
【００６３】
現状、無線通信端末（UE）がHSDPA対応の無線通信端末（UE）７か否かを判定するために、３GPP TS25.306 Ver.5.8.0に規定されている「HS-DSCH physical layer category」が使用されている。このcategoryは、RRC Connection Setup Completeにて通知されるUE radio access capability内のHS-PDSCH関連能力として規定されている。このでは、この「HS-DSCH physical layer category」の既存のcategoryをWiMAX対応の無線通信端末（UE）７を示すものとして仕様を読み替えるか、新たなcategoryをWiMAX対応の無線通信端末（UE）７用categoryとして規定しなおすことで、無線ネットワーク制御装置（RNC）５が無線通信端末（UE）７のWiMAX対応の識別を識別可能にする。
【００６４】
図１５は、３GPP TS25.306 Ver.5.8.0に規定されている「HS-DSCH physical layer category」を示す図である。
図１５に示したものは、３GPP TS 25.306 V5.8.0 （2004-03）Technical Specificationより抜粋したものである。
【００６５】
図１６は、HS-DSCH physical layer categoryのcategory10をWiMAX対応の無線通信端末（UE）とした際の表を示す図である。
無線ネットワーク制御装置（RNC）５は、category10を受信した場合、WiMAX対応の無線通信端末（UE）７であると判別すればよい。ここでは便宜的に、WiMAX規格の最大レートである75Mbpsを示す、Total number of soft channel bits=1157143をcategory10に記入した。なお、図１５のcategory10のレートは最大11.2Mbpsを示している。
【００６６】
図１７は、HS-DSCH physical layer categoryのcategory13およびcategory14をWiMAX対応の無線通信端末（UE）として、新たに規定した際の表を示す図である。
無線ネットワーク制御装置（RNC）５は、category13もしくはcategory14を受信した場合、WiMAX対応の無線通信端末（UE）７であると判別すればよい。追加するCategory数は、規定したいWiMAXのデータ転送能力数のVarietyに応じて一つ以上設ければよい。ここでは例として、WiMAX規格の最大レートである75Mbpsおよび、その中間である37.5Mbpsを示す二種類のCategoryを設けたパターンを示した。便宜的に、WiMAX規格の最大レートである75Mbpsを示すTotal number of soft channel bits=1157143をcategory13に記入し、WiMAX規格の中間レートである37.5Mbpsを示すTotal number of soft channel bits=578572をcategory14に記入した。なお、図１５のcategory10のレートは最大11.2Mbpsを示している。
【００６７】
次に、（２）WiMAX対応の無線通信端末（UE）７が通常のW-CDMAシステム準拠のHSDPA対応エリア４０からWiMAX対応エリア６０に移動する方法について説明する。
図１８は、無線通信端末（UE）がHSDPA対応エリアからWiMAX対応エリアに移動する際のシーケンス図である。
【００６８】
基本的には３GPPにて規定されているInter-NodeB HS-DSCH Cell Changeを用い、３GPP と同様のメッセージを用い、WiMAX用の無線基地局装置（BS）６（図１８中ではTarget NodeB(WiMAX)）に設定を行う。
【００６９】
次に、（３）WiMAX対応の無線通信端末（UE）７がWiMAX対応エリア６０から通常のW-CDMAシステム準拠のHSDPA対応エリア４０に移動する方法について説明する。
図１９は、無線通信端末（UE）がWiMAX対応エリアからHSDPA対応エリアに移動する際のシーケンス図である。
【００７０】
基本的には３GPPにて規定されているInter-NodeB HS-DSCH Cell Changeを用い、３GPP と同様のメッセージを用い、WiMAX用の無線基地局装置（BS）６（図１９中ではTarget NodeB(WiMAX)）に設定を行う。
【００７１】
次に、（４）WiMAX対応の無線通信端末（UE）７がWiMAX対応エリア６０にてDCH状態からHS-DSCH状態に変更する方法について説明する。
図２０は、無線通信端末（UE）がWiMAX対応エリアにてDCH状態からHS-DSCH状態に変更する際のシーケンス図である。
【００７２】
基本的には３GPPにて規定されているHS-DSCH Setup を用い、WiMAX用の無線基地局装置（BS）６（図２０中では NodeB(WiMAX)）に設定を行う。
本発明は、以上に述べた実施の形態に限定されるものではなく、本発明の要旨を逸脱しない範囲内で種々の構成または形状を取ることができる。ここで、上述した実施の形態の特徴を列挙すると、以下の通りである。
【００７３】
（付記１）
第１の通信プロトコルで通信可能な第１の通信データを送受信する第１の送受信手段と、前記第１の通信データを入出力する通信データ入出力手段とを備えた無線通信端末であって、
前記第１の通信プロトコルとは異なる第２の無線通信プロトコルで通信可能な第２の通信データを送受信する第２の送受信手段と、
前記第１の通信データと前記第２の通信データとを互いに変換するプロトコル変換手段と、
を備え、
前記通信データ入出力手段は、前記第２の送受信手段によって前記第２の通信データを受信して前記プロトコル変換手段によって前記第２の通信データから変換した前記第１の通信データを出力し、
前記第２の送受信手段は、前記通信データ入出力手段によって前記第１の通信データを入力して前記プロトコル変換手段によって前記第１の通信データから変換した前記第２の通信データを送信する、
ことを特徴とする無線通信端末。
（付記２）
前記第１の通信プロトコルは、HSDPA（High-Speed Downlink Packet Access）用の通信プロトコルであり、
前記第２の通信プロトコルは、WiMAX（Worldwide Interoperability for Microwave Access[IEEE 802.16a]）用の通信プロトコルである、
ことを特徴とする付記１に記載の無線通信端末。
（付記３）
第１の通信プロトコルで通信可能な第１の通信データを前記第１の通信プロトコルで通信可能な無線基地局装置に対して送受信する第１のユーザデータ送受信手段と、
前記第１の通信プロトコルとは異なる第２の通信プロトコルで通信可能な第２の通信データを前記第２の通信プロトコルで通信可能な無線通信端末に対して送受信する第２のユーザデータ送受信手段と、
前記第１の通信データと前記第２の通信データとを互いに変換するプロトコル変換手段と、
を備えることを特徴とする無線基地局装置。
（付記４）
前記第１の通信プロトコルは、HSDPA（High-Speed Downlink Packet Access）用の通信プロトコルであり、
前記第２の通信プロトコルは、WiMAX（Worldwide Interoperability for Microwave Access[IEEE 802.16a]）用の通信プロトコルである、
ことを特徴とする付記３に記載の無線基地局装置。
（付記５）
第１の通信プロトコルで通信可能な第１の通信データを送受信する第１の送受信手段と、前記第１の通信データを入出力する通信データ入出力手段とを備えた無線通信端末において実行される通信制御方法であって、
前記第１の通信プロトコルとは異なる第２の無線通信プロトコルで通信可能な第２の通信データを受信し、
前記受信した前記第２の通信データを前記第１の通信データに変換し、
前記通信データ入出力手段を用いて前記変換した前記第１の通信データを出力する、
ことを特徴とする通信制御方法。
（付記６）
第１の通信プロトコルで通信可能な第１の通信データを送受信する第１の送受信手段と、前記第１の通信データを入出力する通信データ入出力手段とを備えた無線通信端末において実行される通信制御方法であって、
前記通信データ入出力手段を用いて前記第１の通信データを入力し、
前記入力した前記第１の通信データを前記第１の通信プロトコルとは異なる第２の無線通信プロトコルで通信可能な第２の通信データに変換し、
前記変換した前記第２の通信データを送信する、
ことを特徴とする通信制御方法。
（付記７）
第１の通信プロトコルで通信可能な第１の通信データを前記第１の通信プロトコルで通信可能な無線基地局装置において実行される通信制御方法であって、
前記第１の通信データを無線基地局装置から受信し、
前記受信した前記第１の通信データを前記第１の通信プロトコルとは異なる第２の通信プロトコルで通信可能な第２の通信データに変換し、
前記変換した前記第２の通信データを前記第２の通信プロトコルで通信可能な無線通信端末に対して送信する、
ことを特徴とする通信制御方法。
（付記８）
第１の通信プロトコルで通信可能な第１の通信データを前記第１の通信プロトコルで通信可能な無線基地局装置において実行される通信制御方法であって、
前記第１の通信プロトコルとは異なる第２の通信プロトコルで通信可能な第２の通信データを前記第２の通信プロトコルで通信可能な無線通信端末から受信し、
前記受信した前記第２の通信データを前記第１の通信データに変換し、
前記変換した前記第１の通信データを前記第１の通信プロトコルで通信可能な無線基地局に対して送信する、
ことを特徴とする通信制御方法。
（付記９）
第１の通信プロトコルで通信可能な第１の通信データを送受信する第１の送受信手段と、前記第１の通信データを入出力する通信データ入出力手段とを備えた無線通信端末に実行させるためのコンピュータ実行可能な通信制御プログラムであって、
前記第１の通信プロトコルとは異なる第２の無線通信プロトコルで通信可能な第２の通信データを受信する手順と、
前記受信した前記第２の通信データを前記第１の通信データに変換する手順と、
前記通信データ入出力手段を用いて前記変換した前記第１の通信データを出力する手順と、
を実行させるための通信制御プログラム。
（付記１０）
第１の通信プロトコルで通信可能な第１の通信データを送受信する第１の送受信手段と、前記第１の通信データを入出力する通信データ入出力手段とを備えた無線通信端末に実行させるためのコンピュータ実行可能な通信制御プログラムであって、
前記通信データ入出力手段を用いて前記第１の通信データを入力する手順と、
前記入力した前記第１の通信データを前記第１の通信プロトコルとは異なる第２の無線通信プロトコルで通信可能な第２の通信データに変換する手順と、
前記変換した前記第２の通信データを送信する手順と、
を実行させるための通信制御プログラム。
（付記１１）
第１の通信プロトコルで通信可能な第１の通信データを前記第１の通信プロトコルで通信可能な無線基地局装置に実行させるためのコンピュータ実行可能な通信制御プログラムであって、
前記第１の通信データを無線基地局装置から受信する手順と、
前記受信した前記第１の通信データを前記第１の通信プロトコルとは異なる第２の通信プロトコルで通信可能な第２の通信データに変換する手順と、
前記変換した前記第２の通信データを前記第２の通信プロトコルで通信可能な無線通信端末に対して送信する手順と、
を実行させるための通信制御プログラム。
（付記１２）
第１の通信プロトコルで通信可能な第１の通信データを前記第１の通信プロトコルで通信可能な無線基地局装置に実行させるためのコンピュータ実行可能な通信制御プログラムであって、
前記第１の通信プロトコルとは異なる第２の通信プロトコルで通信可能な第２の通信データを前記第２の通信プロトコルで通信可能な無線通信端末から受信する手順と、
前記受信した前記第２の通信データを前記第１の通信データに変換する手順と、
前記変換した前記第１の通信データを前記第１の通信プロトコルで通信可能な無線基地局に対して送信する手順と、
を実行させるための通信制御プログラム。
【図面の簡単な説明】
【００７４】
【図１】本発明を適用した移動体通信システムの全体構成図である。
【図２】無線ネットワーク制御装置（RNC）の機能を説明するためのブロック図である。
【図３】無線基地局装置（BS）の機能を説明するためのブロック図である。
【図４】無線通信端末（UE）の機能を説明するためのブロック図である。
【図５】無線通信端末（UE）が通常のW-CDMAシステム準拠のHSDPA対応エリアにいる状態を説明するための図である。
【図６】無線通信端末（UE）が通常のW-CDMAシステム準拠のHSDPA対応エリアからWiMAX対応エリアに移動する状態を説明するための図である。
【図７】無線通信端末（UE）がWiMAX対応エリアにいる状態を説明するための図である。
【図８】無線通信端末（UE）がWiMAX対応エリアから通常のW-CDMAシステム準拠のHSDPA対応エリアに移動する状態を説明するための図である。
【図９】３GPPプロトコルとWiMAXプロトコルとのプロトコル変換を説明するための図（下り、W-CDMA方式の無線基地局装置（Node-B）の場合）である。
【図１０】３GPPプロトコルとWiMAXプロトコルとのプロトコル変換を説明するための図（下り、WiMAX用の無線基地局装置（BS）の場合）である。
【図１１】３GPPプロトコルとWiMAXプロトコルとのプロトコル変換を説明するための図（上り、W-CDMA方式の無線基地局装置（Node-B）の場合）である。
【図１２】３GPPプロトコルとWiMAXプロトコルとのプロトコル変換を説明するための図（上り、WiMAX用の無線基地局装置（BS）の場合）である。
【図１３】HS-DSCH信号とWiMAX信号との変換およびDCH信号とWiMAX信号との変換を説明するためのブロック図である。
【図１４】３GPP TS 25.433 V6.6.0 に規定されている、RADIO LINK RECONFIGURATION PREPAREおよびその応答であるRADIO LINK RECONFIGURATION READYのメッセージを抜き出したもの（代表的なElementを抜粋したもの）を示す図である。
【図１５】３GPP TS25.306 Ver.5.8.0に規定されている「HS-DSCH physical layer category」を示す図である。
【図１６】HS-DSCH physical layer categoryのcategory10をWiMAX対応の無線通信端末（UE）とした際の表を示す図である。
【図１７】HS-DSCH physical layer categoryのcategory13およびcategory14をWiMAX対応の無線通信端末（UE）として、新たに規定した際の表を示す図である。
【図１８】無線通信端末（UE）がHSDPA対応エリアからWiMAX対応エリアに移動する際のシーケンス図である。
【図１９】無線通信端末（UE）がWiMAX対応エリアからHSDPA対応エリアに移動する際のシーケンス図である。
【図２０】無線通信端末（UE）がWiMAX対応エリアにてDCH状態からHS-DSCH状態に変更する際のシーケンス図である。
【符号の説明】
【００７５】
１      インターネット網（Internet網）
２      コアネットワーク（CN）
３      無線ネットワーク制御装置（RNC）
４      無線基地局装置（Node-B）
５      無線ネットワーク制御装置（RNC）
６      無線基地局装置（BS）
７，７ａ，７ｂ，７ｃ，７ｄ  無線通信端末（UE）
２１    WiMAX/W-CDMA信号切替制御信号送信部
２２    ユーザデータ送受信部
３１    WiMAX/W-CDMA信号切替制御部
３２    ユーザデータ送受信部
３３    ユーザデータ送受信部Ａ（WiMAX）
３４    ユーザデータ送受信部Ｂ（３GPP）
４０    HSDPA対応エリア
４１    ユーザデータ送受信部
４２    ユーザデータ送受信部
６０    WiMAX対応エリア
６１    ユーザデータ送受信部
６２    ３GPP/WiMAXプロトコル変換部
６３    ユーザデータ送受信部
７１    ３GPP部
７２    WiMAX部
７３    アプリケーションデータ処理部
７１１  送受信部
７１２  ３GPPプロトコル処理部
７２１  送受信部
７２２  WiMAX伝送プロトコル処理部
７２３  WiMAX/３GPPプロトコル変換部
７３１  データ制御部
７３２  通信アプリケーション
７３３  データ通信インタフェース
【図１】
2007088794.tif 000003
【図２】
2007088794.tif 000004
【図３】
2007088794.tif 000005
【図４】
2007088794.tif 000006
【図９】
2007088794.tif 000007
【図１０】
2007088794.tif 000008
【図１１】
2007088794.tif 000009
【図１２】
2007088794.tif 000010
【図１３】
2007088794.tif 000011
【図１４】
2007088794.tif 000012
【図１５】
2007088794.tif 000013
【図１６】
2007088794.tif 000014
【図１７】
2007088794.tif 000015
【図１８】
2007088794.tif 000016
【図１９】
2007088794.tif 000017
【図２０】
2007088794.tif 000018
【図５】
2007088794.tif 000019
【図６】
2007088794.tif 000020
【図７】
2007088794.tif 000021
【図８】
2007088794.tif 000022